(57)【要約】  【課題】  プラズマディスプレイ装置のリサイクル時に、パネル前面に貼り付けられたフィルム化された保護シートを剥がすことが困難なため、パネルから分離するための工数が増えていた。剥離が容易な保護シートを搭載した、部品点数が少なくかつリサイクルが容易なプラズマディスプレイ装置を提供する。  【解決手段】  ディスプレイ画面に接着する側の面に粘着性を有する接着層２を備え、ディスプレイ画面に接着する側の面の端部の一部は、粘着性を有しない剥離きっかけ部３、４である、ディスプレイ保護シートを用いる。【選択図】  図１
2005091761.tif 000002
【特許請求の範囲】
【請求項１】
ディスプレイ画面に接着する側の面に粘着性を有する接着層を備え、
前記ディスプレイ画面に接着する側の面の端部の一部は、粘着性を有しない剥離きっかけ部である、ディスプレイ保護シート。
【請求項２】
前記剥離きっかけ部は、前記接着層が形成されていない部分である、請求項１に記載のディスプレイ保護シート。
【請求項３】
前記剥離きっかけ部は、熱処理または化学処理により前記接着層を非接着化処理した部分である、請求項１に記載のディスプレイ保護シート。
【請求項４】
前記剥離きっかけ部は、前記接着層に粘着性を有しないシートを貼り付けた部分である、請求項１に記載のディスプレイ保護シート。
【請求項５】
特定の一方向にのみ裂け易い特性を有する、請求項１乃至４のいずれかに記載のディスプレイ保護シート。
【請求項６】
端部からは裂け難いように、端部の一部または全部が裂け難い特性を有する、請求項５に記載のディスプレイ保護シート。
【請求項７】
熱処理または化学処理によって前記裂け難い特性を形成させた、請求項６に記載のディスプレイ保護シート。
【請求項８】
前記ディスプレイ保護シートは、長方形であり、ある一対の対向する辺が裂け難い特性を有し、前記ある一対の対向する辺と垂直な一方向にのみ裂け易い特性を有する、請求項５乃至７のいずれかに記載のディスプレイ保護シート。
【請求項９】
前記剥離きっかけ部は、前記裂け難い特性を有する部分である、請求項６乃至８のいずれかに記載のディスプレイ保護シート。
【請求項１０】
ガラス板または樹脂板と、
前記ガラス板または樹脂板に貼り付けられた請求項１乃至９のいずれかに記載のディスプレイ保護シートとを備えた、ディスプレイ保護板。
【請求項１１】
請求項１０に記載のディスプレイ保護板を備えたディスプレイ装置。
【請求項１２】
請求項１乃至９のいずれかに記載のディスプレイ保護シートでディスプレイの表示面が構成されているディスプレイ装置。
【請求項１３】
前記ディスプレイ装置はプラズマディスプレイ装置である、請求項１２に記載のディスプレイ装置。
【発明の詳細な説明】
【技術分野】
【０００１】
本発明は、ディスプレイ保護シート、ディスプレイ保護板およびディスプレイ装置に関する。ディスプレイ保護シートは、ディスプレイ装置の表示部分の前面に配置され、例えば、防眩性や電磁シールドやパネル保護の機能を持つものである。また、ディスプレイ装置は、例えば、ＣＲＴ、液晶ディスプレイ、大画面で薄型、軽量のディスプレイ装置として知られているプラズマディスプレイ装置等である。
【背景技術】
【０００２】
従来、プラズマディスプレイ装置は、架台となるシャーシに駆動用の回路や電源、前面板と背面板からなるパネル、防眩性や電磁シールドやパネル保護の機能をもつ保護シートを組み付けて構成されていた。近年、部品点数や組立工数削減のために、保護シートを組み付けではなく直接パネル前面に貼り付けたり、フィルム化してパネル前面に貼り付けた構成が主流になりつつあり（例えば、特許文献１参照）、各フィルムメーカが高機能フィルムの開発に取組んでいる（例えば、特許文献２参照）。
【特許文献１】特開平１１−１１９６７３号公報
【特許文献２】特開２０００−２９４９８１公報
【発明の開示】
【発明が解決しようとする課題】
【０００３】
しかしながら、保護シートをフィルム化してパネル前面に直接貼り付けた構成では、パネル前面に貼り付けたフィルムをきれいに剥すことが困難である。そのため、リサイクル時において、ガラス（パネル）と樹脂（フィルム）を分離する工数が増えてしまうという課題がある。
【０００４】
本発明は上述した課題を考慮し、リサイクル時の処理が容易な、ディスプレイ保護シート、ディスプレイ保護板およびディスプレイ装置を提供することを目的とする。
【課題を解決するための手段】
【０００５】
上述した課題を解決するために、第１の本発明は、
ディスプレイ画面に接着する側の面に粘着性を有する接着層を備え、
前記ディスプレイ画面に接着する側の面の端部の一部は、粘着性を有しない剥離きっかけ部である、ディスプレイ保護シートである。
【０００６】
第２の本発明は、
前記剥離きっかけ部は、前記接着層が形成されていない部分である、第１の本発明のディスプレイ保護シートである。
【０００７】
第３の本発明は、
前記剥離きっかけ部は、熱処理または化学処理により前記接着層を非接着化処理した部分である、第１の本発明のディスプレイ保護シートである。
【０００８】
第４の本発明は、
前記剥離きっかけ部は、前記接着層に粘着性を有しないシートを貼り付けた部分である、第１の本発明のディスプレイ保護シートである。
【０００９】
第５の本発明は、
特定の一方向にのみ裂け易い特性を有する、第１乃至第４のいずれかの本発明のディスプレイ保護シートである。
【００１０】
第６の本発明は、
端部からは裂け難いように、端部の一部または全部が裂け難い特性を有する、第５の本発明のディスプレイ保護シートである。
【００１１】
第７の本発明は、
熱処理または化学処理によって前記裂け難い特性を形成させた、第６の本発明のディスプレイ保護シートである。
【００１２】
第８の本発明は、
前記ディスプレイ保護シートは、長方形であり、ある一対の対向する辺が裂け難い特性を有し、前記ある一対の対向する辺と垂直な一方向にのみ裂け易い特性を有する、第５乃至第７のいずれかの本発明のディスプレイ保護シートである。
【００１３】
第９の本発明は、
前記剥離きっかけ部は、前記裂け難い特性を有する部分である、第６乃至第８のいずれかの本発明のディスプレイ保護シートである。
【００１４】
第１０の本発明は、
ガラス板または樹脂板と、
前記ガラス板または樹脂板に貼り付けられた第１乃至第９のいずれかの本発明のディスプレイ保護シートとを備えた、ディスプレイ保護板である。
【００１５】
第１１の本発明は、
第１０の本発明のディスプレイ保護板を備えたディスプレイ装置である。
【００１６】
第１２の本発明は、
第１乃至第９のいずれかの本発明のディスプレイ保護シートでディスプレイの表示面が構成されているディスプレイ装置である。
【００１７】
第１３の本発明は、
前記ディスプレイ装置はプラズマディスプレイ装置である、第１２の本発明のディスプレイ装置である。
【発明の効果】
【００１８】
本発明により、リサイクル時の処理が容易な、ディスプレイ保護シート、ディスプレイ保護板およびディスプレイ装置を提供することができる。
【発明を実施するための最良の形態】
【００１９】
以下、本発明の実施の形態について、図を用いて説明する。
【００２０】
（実施の形態１）
図１（ａ）〜（ｃ）は、いずれも、本発明の実施の形態１のディスプレイ保護シートの構成を示している。本実施の形態１のディスプレイ保護シートは、従来のディスプレイ保護シートの接着面の端部に処理を施したものである。
【００２１】
従来のディスプレイ保護シートは、機能層１と接着層２で構成されている。機能層１は、防眩性、電磁シールド性、防爆性の機能を備えており、さらに細かく見ると、接着層２側から順に母材層、電磁シールド層から構成されている。そして、母材層には、例えばポリエチレンフタレート（ＰＥＴ）やポリカーボネート（ＰＣ）フィルムが用いられている。また、電磁シールド層としては、例えばアルミニウムやニッケルといった導電性金属のメッシュが形成されている。さらに、機能層１の最表面には、反射防止コーティングが施されている。
【００２２】
本実施の形態１のディスプレイ保護シートは、従来のディスプレイ保護シートの接着層２の面の端部に粘着力を持たせない処理を施していることを特徴とする。
【００２３】
図１（ａ）に示すディスプレイ保護シートは、ディスプレイ保護シートの端部に接着層２を形成させないことにより、その部分に粘着力を持たせないようにしている。図１（ａ）では、接着層２の左端の辺の部分にその処理を施している。
【００２４】
図１（ｂ）に示すディスプレイ保護シートは、ディスプレイ保護シートの端部の接着層２の部分を、熱処理や化学処理により非接着化処理し、粘着力を持たない非接着処理部分３を形成させている。
【００２５】
図１（ｃ）に示すディスプレイ保護シートは、ディスプレイ保護シートの端部の接着層２の部分の粘着力を封じるために、接着層カバー４を取り付けたディスプレイ保護シートである。接着層カバー４は、例えば厚さ数μｍ程度のＰＥＴフィルムである。
【００２６】
次に、本実施の形態１のディスプレイ保護シートのＰＤＰパネルへの取り付け方法について図２を用いて説明する。
【００２７】
図２（ａ）は、本実施の形態１のディスプレイ保護シートを直接ＰＤＰパネルに貼り付けた時のシャーシに取り付けた状態の平面図を示しており、図２（ｂ）は、それを下面側から見た側面図を示している。
【００２８】
図２のディスプレイ保護シートは、図１（ａ）〜（ｃ）のいずれかに示したディスプレイ保護シートを加工したものである。
【００２９】
図２のディスプレイ保護シートは、粘着性を持つ保護シート接着部７と、粘着性を持たない剥離きっかけ部８により構成されている。図２のディスプレイ保護シートは、図１（ａ）〜（ｃ）のいずれかに示したディスプレイ保護シートの粘着性を持たないように処理を施した端部を、一部切除して帯状に加工したものであり、剥離きっかけ部８が、その帯状に残った粘着性を持たないように処理が施された部分である。
【００３０】
ＰＤＰパネル５は、図２（ａ）に示すように、前面板５ａと背面板５ｂで構成されている。図２（ａ）、（ｂ）に示すように、前面板５ａの左右両端側から表示電極９が前面板５ａの裏側に引き出されており、また背面板５ｂの下側から表示電極が背面板５ｂの表側に引き出されている。
【００３１】
ディスプレイ保護シートの保護シート接着部７は、ＰＤＰパネル５の表示面側に、その有効表示領域６を十分に覆うように貼り付けられ、ディスプレイの表示面を構成している。この保護シート接着部７がＰＤＰパネル５の前面板ａの表側の面に貼り付けられた状態で、表示電極９を避ける位置になるように、ディスプレイ保護シートに２つの帯状の剥離きっかけ部８が形成されている。そして、２つの帯状の剥離きっかけ部８はいずれも、ＰＤＰパネル５の左端で折り曲げられ、その先端が背面板５ｂの裏側まで回りこむ長さを有している。
【００３２】
図２（ａ）に示すように、固定金具２１によって、ＰＤＰパネル５はシャーシ２０に固定される。そして、背面板５ｂの裏側に回りこませた２つの剥離きっかけ部８の先端部分は、図２（ｂ）に示すように、背面板５ｂの裏側の面とシャーシ２０とに挟まれることにより固定される。
【００３３】
非接着性の剥離きっかけ部８を設けた本実施の形態１のディスプレイ保護シートを使用することにより、リサイクル工程においてディスプレイ保護シート（樹脂）とパネル（ガラス）との分離が容易になる。
【００３４】
図２に示す本実施の形態１のディスプレイ保護シートは、ＰＤＰパネル５の背面板５ｂの裏側に回りこませて固定するように剥離きっかけ部８を帯状にしたが、ＰＤＰパネル５の裏側に回りこまないような形状にしてもよい。例えば、パネル５の表示領域６の外側の部分に配置されるパネルの枠と前面版５ａとで挟み込む構造にすることにより、剥離きっかけ部８を固定することができる。
【００３５】
この場合には、剥離きっかけ部は、必ずしも図２（ａ）に示すような帯状の形状にする必要は無い。図１（ａ）〜（ｃ）に示すようなディスプレイシートのある一辺の部分全体に渡って剥離きっかけ部が形成されているような形状のままであってもよいし、ディスプレイシートのある一辺の部分全体では無く一箇所の角の部分だけが剥離きっかけ部となっているような構造であってもよい。
【００３６】
次に、図３に、本実施の形態１のディスプレイ保護シートをディスプレイ保護板に使用する場合の側面図を示す。ディスプレイ保護板１６は、透明のガラス板または樹脂製の板である。ディスプレイ保護板にはディスプレイ保護シートが貼られており、図３に示すように、ディスプレイ装置の表示面の前面に配置させて使用する。図３では、ディスプレイ装置の例としてＰＤＰとし、ＰＤＰはパネル５ａ、５ｂとシャーシ２０の部分のみを記載している。
【００３７】
ディスプレイ保護板１６には、保護シート接着部１７と剥離きっかけ部１８を持つディスプレイ保護シートが貼られている。このディスプレイ保護シートは、図１（ａ）〜（ｃ）のいずれかのディスプレイ保護シートである。
【００３８】
このように、本実施の形態１のディスプレイ保護シートを貼ったディスプレイ保護板１６を使用することにより、リサイクル工程においてディスプレイ保護シート（樹脂）とディスプレイ保護板（ガラスまたは樹脂）との分離が容易になり、ディスプレイ保護シートを直接ＰＤＰのパネルに貼り付けた図２の場合と同様の効果が得られる。
【００３９】
（実施の形態２）
図４は、本発明の実施の形態２のディスプレイ保護シートの構成を示している。図４（ａ）は、本実施の形態２のディスプレイ保護シートの平面図を、図４（ｂ）は図４（ａ）の下側から見た断面図を示している。
【００４０】
図４（ｂ）に示すように、本実施の形態２のディスプレイ保護シートの機能層１は、接着層２側から順に、母材１０、電磁シールド層２３、反射防止膜２２の各層により構成されている。
【００４１】
本発明の実施の形態２のディスプレイ保護シートは長方形であり、母材１０は、図４（ａ）に示すように、全体にフィルムの繊維配列１１により一方向に裂け易い特性をもっている。そして、図４（ａ）、（ｂ）に示すように、接着層２の面には、繊維配列１１に垂直な左右の辺の部分に、裂けにくい特性をもつフィルムが難裂性接着層カバー１２として取り付けられている。この難裂性接着層カバー１２の部分は、接着力を持たないので、このディスプレイ保護シートをＰＤＰパネル等に貼り付けた際には非接着の剥離きっかけ部となる。
【００４２】
ここでは、ディスプレイ保護シートの左右の端部を裂け難くするために難裂性接着層カバー１２を取り付けることとしたが、母材１０自身の該当領域に熱処理や化学処理を施して、難裂性をもたせてもよい。
【００４３】
本実施の形態２のディスプレイ保護シートは、実施の形態１と同様に、図２および図３に示したようなＰＤＰやディスプレイ保護板に使用できる。
【００４４】
本実施の形態２のディスプレイ保護シートを使用すると、一方向に裂け易いフィルム特性をもっているので、細い短冊状に剥がしていくことができ、比較的弱い力で保護シートの分離が可能である。さらに端部には難裂性をもたしてあるので、プラズマディスプレイの使用中にディスプレイ保護シートが裂ける心配はなく、ディスプレイ保護シートは強力に接着されている。しかしリサイクル時には、難裂性の剥離きっかけ部に複数の切りこみを入れることで、比較的弱い力で容易に細い短冊状に保護シートを分離することができる。
【００４５】
各実施の形態の説明では、プラズマディスプレイに使用する場合で説明したが、本発明のディスプレイ保護シートは、ＣＲＴ、液晶ディスプレイ等の他のディスプレイ装置にも使用でき、同様の効果が得られる。
【産業上の利用可能性】
【００４６】
本発明にかかる、ディスプレイ保護シート、ディスプレイ保護板およびディスプレイ装置は、ディスプレイのリサイクル時の処理が容易に行える効果を有し、ＣＲＴ、液晶ディスプレイ、プラズマディスプレイ装置等のディスプレイ装置で使用されるディスプレイ保護シート、ディスプレイ保護板およびディスプレイ装置として有用である。
【図面の簡単な説明】
【００４７】
【図１】（ａ）〜（ｃ）本発明の実施の形態１のディスプレイ保護シートの構成を示す斜視図
【図２】（ａ）本発明の実施の形態１のディスプレイ保護シートの使用例を示す平面図（ｂ）本発明の実施の形態１のディスプレイ保護シートの使用例を示す側面図
【図３】本発明の実施の形態１のディスプレイ保護シートの使用例を示す側面図
【図４】（ａ）本発明の実施の形態２の保護シートの構成を示す平面図（ｂ）本発明の実施の形態２の保護シートの構成を示す断面図
【符号の説明】
【００４８】
１  機能層
２  接着層
３  非接着処理部分
４  接着層カバー
５  ＰＤＰパネル
５ａ  前面板
５ｂ  背面板
６  有効表示領域
７、１７  保護シート接着部
８、１８  剥離きっかけ部
９  表示電極
１０  母材
１１  繊維配列の方向
１２  難裂性接着層カバー
１６  ディスプレイ保護板
２０  シャーシ
２１  固定金具
２２  反射防止膜
２３  電磁シールド層
【図１】
2005091761.tif 000003
【図２】
2005091761.tif 000004
【図３】
2005091761.tif 000005
【図４】
2005091761.tif 000006